(57)【要約】【課題】  車両の室内空間を積極的に装飾しアレンジすることのできる室内灯レンズを提供すること。【解決手段】  本発明の室内灯レンズは、ハーフミラー処理が施され、かつ透明ないしは不透明な意匠図柄が付与されていることを特徴とする室内灯ハーフミラーレンズ１０である。すなわち、室内灯レンズの表面１１または裏面１２に金属蒸着などのハーフミラー処理を施してハーフミラーレンズとし、さらにこのレンズ自体に意匠図柄を付与した室内灯ハーフミラーレンズ１０を提供する【選択図】  図１
2014125075.tif 000002
【特許請求の範囲】
【請求項１】
ハーフミラー処理が施され、かつ透明ないしは不透明な意匠図柄が付与されていることを特徴とする室内灯ハーフミラーレンズ。
【請求項２】
ハーフミラー処理面に意匠図柄を描画することより意匠図柄が付与されていることを特徴とする請求項１に記載の室内灯ハーフミラーレンズ。
【請求項３】
意匠図柄を有する透明デザインシートを室内灯光源側のハーフミラーレンズ裏面に重ね合せることで、意匠図柄が付与されていることを特徴とする請求項１に記載の室内灯ハーフミラーレンズ。
【請求項４】
意匠図柄の描画手段は、レーザ加工、スクリーン印刷、インキジェット印刷のいずれかの手段、またはこれらを組み合わせた手段であることを特徴とする請求項２に記載の室内灯ハーフミラーレンズ。
【発明の詳細な説明】
【技術分野】
【０００１】
本発明は、車両用室内灯のレンズに関し、車内空間を照明するだけでなく、空間を装飾アレンジするためのレンズに関する。
【背景技術】
【０００２】
通常、自動車には天井部に室内灯が設置され、車室内の照明が行われている。このような車両用室内灯には、光源を収めたハウジングの開口部にレンズが取り付けられており、表面の輝度を均一にしたり、必要部に照度を集中させたりするために、室内灯レンズにはカットなどの加工が施されている。しかしながら、これらの加工はあくまで照明具としての機能を発揮させるために施されるものであって、デザイン的要素は少なく室内空間をアレンジするものではなかった。
【０００３】
これまでに、入射する光の一部を反射し、一部を透過させるハーフミラー処理を施した室内灯レンズを用いた室内灯が提案されており、特許文献１には運転席後方の天井に備えられた室内灯に、ハーフミラー製の下方に凸の円弧状のカバーを着脱自在かつ円光上方向に回動自在に設けた室内灯が記載されている。この室内灯は、ハーフミラーの特性を利用して、透過光による室内照明装置と、反射光による後方を確認するためのバックミラー装置とを兼ねたものであって、室内空間をアレンジするものではなかった。
【０００４】
また、特許文献２にもハーフミラー処理を施されたハーフミラー部が形成されている室内灯レンズ（アウタレンズ）が記載されているが、このアウタレンズは光源を点灯した場合に、アウタレンズの表面全域を輝度ムラなく発光させるために、光源側のレンズ裏面に設けたＶ字状の凹部にハーフミラー処理を施し、ハウジング内部に収納されたインナレンズに反射光を照射して、輝度ムラを防ぐものである。そして、本文献ではインナレンズに装飾を施し、アウタレンズのハーフミラー部からの反射光により、装飾物を輝かせる機能も持たせているが、ハーフミラー処理を施されたアウタレンズ自体に装飾を施すものではない。そのため、反射光によるインナレンズに施された装飾物の視認であり、ハーフミラー部の機能は輝度ムラを防ぎ周辺部に位置する装飾物の視認をし易くすることにあり、この室内灯では繊細な意匠図柄が視認できるものではなかったし、消灯時には装飾物の視認はできなかった。
【０００５】
以上のように、ハーフミラー処理を施した室内灯レンズは室内灯の機能を拡大したり、照明機能をより発揮させたりものではあるが、天井構成面の一部である室内灯レンズ表面を利用して、室内空間を積極的に装飾しアレンジするものではなかった。
【先行技術文献】
【特許文献】
【０００６】
【特許文献１】特開平９−２２６４５号公報
【特許文献２】特開２０１０−２１４９９４号公報
【発明の概要】
【発明が解決しようとする課題】
【０００７】
本発明は、車両の室内空間を積極的に装飾しアレンジすることのできる室内灯レンズを提供することを課題とする。
【課題を解決するための手段】
【０００８】
本発明の室内灯レンズは、ハーフミラー処理が施され、かつ透明ないしは不透明な意匠図柄が付与されていることを特徴とする室内灯ハーフミラーレンズである。すなわち、室内灯レンズの表面または裏面に金属蒸着などのハーフミラー処理を施してハーフミラーレンズとし、さらにこのレンズ自体に意匠図柄を付与した室内灯ハーフミラーレンズを提供するものである。
【０００９】
そして好ましい形態としては、ハーフミラー処理面に意匠図柄を描画したり、意匠図柄を有する透明デザインシートを室内灯光源側のハーフミラーレンズ裏面に重ね合わせたりして、意匠図柄が付与されている前記室内灯ハーフミラーレンズが好ましい。そして、前記の意匠図柄の描画手段は、レーザ加工、スクリーン印刷(シルク印刷)、インキジェット印刷のいずれかの手段、またはこれらを組み合わせた手段であることが好ましい。
【発明の効果】
【００１０】
本発明の室内灯ハーフミラーレンズを用いることにより、室内灯点灯時における照明機能を損なうことなく、消灯時には金属光沢のミラー調として、レンズに付与された意匠図柄と共に、車内空間を積極的に装飾しアレンジできる。また、透明な意匠図柄を付与することにより、消灯時には室内光により視認できていた図柄が、点灯時には照明光が透過して消失したように見せることもできる。不透明な意匠図柄を付与した場合には、消灯時には金属光沢との対比で視認でき、点灯時には意匠図柄の部分は照明光を遮断するためにより綺麗に視認できる。そして、意匠図柄を有する透明デザインシートをハーフミラーレンズ裏面に重ね合わせて、図柄を付与する場合は、付け替えすることが可能であって、気分や雰囲気に合わせて意匠図柄を選択でき、気軽に車内空間をおしゃれに飾ることができる。
【００１１】
意匠図柄の描画手段として、レーザ加工を用いた場合には、表面を彫刻加工するだけでなく、ハーフミラー処理膜面である金属蒸着膜の全剥離や半剥離も行うことができ、さらには金属蒸着膜に被覆層を設けて、この被覆層に加工を加えて意匠図柄を描画することもでき、多彩な意匠図柄を付与することができる。また、印刷による描画手段として、シルク印刷(スクリーン印刷)、インキジェット印刷などの手段を用いることにより、レンズカット部などが存在し平面だけでなく曲面となっている室内灯レンズ表面に対しても、多様な意匠図柄を付与することができる。また、このような印刷手段による描画では、用いるインキを選択することにより、透明ないしは不透明な意匠図柄も簡単に付与することができる。
【図面の簡単な説明】
【００１２】
【図１】車室前方の天井に設置された室内灯ハウジングとそれに装着する室内灯ハーフミラーレンズの説明図である。
【図２】レンズを装着した室内灯の説明図である。
【図３】ハーフミラー処理面に意匠図柄を付与した室内灯ハーフミラーレンズの正面説明図である。
【図４】各種の意匠図柄を付与した室内灯ハーフミラーレンズの説明図である。
【図５】意匠図柄を有する透明デザインシートをハーフミラーレンズ裏面に重ね合わせて装着する室内灯ハーフミラーレンズの説明図である。
【図６】意匠図柄を有する透明デザインシートの説明図である。
【発明を実施するための形態】
【００１３】
以下本発明の実施の形態について図面を参照しながら詳細に述べる。図１は車室前方の天井に設置された室内灯ハウジング２０とそれに装着される室内灯ハーフミラーレンズ１０の説明図である。室内灯ハウジング２０は車室前方の天井に設置されている運転席及び助手席用のサンバイザー４０の間に設置され、ハウジング内部には助手席と運手席を照射する光源２１ａ、２１ｂが取り付けられ、この光源を点灯消灯するためのスイッチ２５ａ、２５ｂ、２５ｃが設けられている。光源としては、ハロゲンランプやＬＥＤランプが用いられるが、同一の消費電力でより高い照明光量が得られるＬＥＤランプを用いることが好ましい。
【００１４】
室内灯ハーフミラーレンズ１０は、通常の室内灯レンズと同様にアクリル樹脂やポリカーボネート樹脂などの透明合成樹脂を射出成型などに成形したレンズ本体の表面を処理することにより製作され、レンズ表面１１またはレンズ裏面１２にハーフミラー処理が施され、ハーフミラーとなっている。室内灯ハーフミラーレンズ１０には掛止爪受１４が設けられており、この掛止爪受１４を室内灯ハウジング２０に設けられている掛止爪２４に掛止することで、室内灯ハーフミラーレンズ１０を室内灯ハウジング２０に装着固定できる。また、室内灯ハーフミラーレンズ１０には助手席と運転席にスポット光を照射するためのレンズカット部１３ａ、１３ｂが設けられ、さらにスイッチ２５ａ、２５ｂ、２５ｃにそれぞれ対応するスイッチ挿入孔１５ａ、１５ｂ、１５ｃが設けられ、装着固定した場合に対応できるようになっている。
【００１５】
上記のハーフミラー処理はレンズ表面１１またはレンズ裏面１２に施されるが、レンズ裏面１２には照射光を散乱させ照度ムラを減少させるために、細かいクリスタルカット状のレンズカットが設けられている場合が多く、ハーフミラー処理はレンズ表面１１に施されることが好ましい。ハーフミラー処理は成形されたレンズの表面にアルミニウムやクロムなどの金属薄膜を形成させ、レンズに入射する光の一部を反射し、一部の光を透過させる性質を持たせるものである。そのため、ハーフミラー処理を施したレンズ表面は、反射光で見た場合には金属光沢のある鏡面となるが、室内灯を点灯した場合には、内部光源の発する照明光はレンズを通して外部に照射されるため、室内照明として機能する。
【００１６】
ハーフミラー処理としての金属薄膜の形成は真空蒸着やスパッタリング蒸着などにより行うことができ、蒸着する薄膜の厚さを金属の種類に応じて調整することで反射率と透過率の値を制御し、レンズをハーフミラーとすることができる。また、蒸着する金属の種類により、同じ金属光沢であっても色調が変化するので、使用者の好みに合わせて金属を選択することができる。さらに、金属薄膜の表面に保護層をコーティングすることにより、ハーフミラー処理面が傷付いたり、汚れたりするのを防ぐこともできる。
【００１７】
図２はレンズを装着した室内灯の説明図であり、レンズ表面１１には、それぞれ助手席と運転席にスポット光を照射するレンズカット部１３ａ、１３ｂと、スイッチ挿入孔から突出したスイッチ２５ａ、２５ｂ、２５ｃが存在している。これらのスイッチ操作により、前記した光源２１ａ、２１ｂはそれぞれ別個ないしは同時に点灯や消灯することができる。そして、レンズのハーフミラー効果により、点灯時には照明光は透過するが、消灯時には金属光沢のミラーとなり、室内装飾を担う。そして、本発明のレンズではさらに透明ないしは不透明な意匠図柄が付与されているため、装飾効果はより大きいものとなる。
【００１８】
図３はハーフミラー処理を施したレンズ表面１１に意匠図柄１０１を描画した室内灯ハーフミラーレンズを示す。意匠図柄１０１の描画手段は特に限定はなく、種々の手段を適用することができ、レーザ加工や各種の印刷、例えばシルク印刷、インキジェット印刷、パッド印刷などを例示することができる。そして、これらの手段を単独で用いてもよいし、これらの手段を組み合わせて描画を行ってもよい。その他、手書きにより意匠図柄を描画してもよい。
【００１９】
意匠図柄１０１を付与する手段としてレーザ加工を用いる場合、レーザ加工による描画は、レーザ光の出力エネルギーや走査速度の調整することにより、加工対象表面層を溶融したり、蒸発させたり、焼き飛ばして剥がしたりして、レーザ光の照射部分の表面の状態を変化させ、種々の形態の意匠図柄を作成することができる。そのため、レンズ表面１１に形成された金属薄膜にレーザ加工により描画する場合、金属薄膜を完全に剥離したり、半剥離を行ったりして、意匠図柄を付与できる。そして、表面の変化状態を調節することにより、表面における光の反射率は減少するが、光の透過率は変化しない意匠図柄とすることもできる。このような意匠図柄は、室内灯を消灯しているときには意匠図柄を視認できるが、点灯すると意匠図柄が視認できず、あたかも消失したようにもできる。さらに、レーザ加工では金属薄膜だけでなく、前記したようにレンズ本体表面層を溶融したり、剥がしたりして、凹んだ彫刻図柄を作成することもできる。
【００２０】
さらにレーザ加工による描画では、描画する金属薄膜面にさらに表面処理層をコーティングして設け、この表面処理層をレーザ光により変質させて意匠図柄とすることもできる。バブルレイヤー（登録商標）工法はこのような表面処理層にレーザ加工により、層内に微小な気泡（バブル）を形成させて微細な表現の意匠図柄を作ることができ、本発明の意匠図柄の付与手段として好ましく用いることができる。
【００２１】
また前記したように、意匠図柄を付与する手段として各種の印刷を用いることができ、好ましい印刷としては、平面だけではなく曲面にも印刷でき、プラスチック成型品の印刷に好ましく適用されるシルク印刷、インキジェット印刷を用いることが好ましい。これら印刷により付与される意匠図柄は用いるインキの色や種類を選択することにより、多彩な色の意匠図柄が得られるし、透明ないしは不透明な意匠図柄とすることもできる。そして、これらの印刷方法では、得られる意匠図柄のインキ膜厚を比較的厚くすることができ、図柄が盛り上がった凸画像とすることもできる。
【００２２】
上記したレーザ加工やインキジェット印刷ではコンピュータ制御による描画が可能であり、デジタルデータに基づく各種の意匠図柄を描画することができる。そして、オンデマンド印刷も可能であり、使用者の要望に応じて意匠図柄を描画することもでき、使用者の好みに合わせた車内の装飾品が得られ、車内デザインをアレンジすることができる。
【００２３】
図４は、上記した各種の描画手段により、意匠図柄を付与した室内灯ハーフミラーレンズを模式的に示したもので、付与された意匠図柄１０２、１０３、１０４はそれぞれ別の手段で描画されていてもよいし、同一の手段にて描画されていてもよい。それぞれ別の手段にて描画し、例えば、意匠図柄１０２はシルク印刷により不透明図柄を印刷し、意匠図柄１０３、１０４は前記したバブルレイヤー（登録商標）工法によるレーザ加工により作成し、反射光では光が気泡により散乱して視認できるが、透過光は通過する意匠図柄とする。このような意匠図柄を付与した場合には、室内灯の消灯時には、すべての意匠図柄が視認できるのに、点灯時には意匠図柄１０３、１０４は視認できず、あたかも消失したような感覚を与える装飾品となる。また、意匠図柄１０２をレンズ裏面にシルク印刷した場合には、消灯時には視認できないが、点灯時には視認でき、意匠図柄１０３、１０４に代わって、現れてくる意匠図柄となる。
【００２４】
上記の意匠図柄の付与手段のシルク印刷の代わりにインキジェット印刷により描画を行っても同様である。また、図４では模式的に意匠図柄を別々に表したが、これらの意匠図柄を適度に重ね合わせて、消失したり現れたりする意匠図柄とすることも可能である。また、透明ではあるが表面は粗面化している意匠図柄をシルク印刷により印刷描画することもでき、この意匠図柄は消灯時には視認できるが、点灯時には視認できない意匠図柄とすることができる。このように、意匠図柄は自由にデザインして付与することが可能である。
【００２５】
図５には、意匠図柄を有する透明デザインシート３０をレンズ裏面１２に重ね合わせて装着し、室内灯ハーフミラーレンズ１０に意匠図柄を付与している形態を示す。室内灯ハーフミラーレンズ１０を室内灯ハウジング２０に取り付ける際に、透明デザインシート３０をレンズ裏面１２に重ね合わせて、意匠図柄を付与するものである。透明デザインシート３０は、室内灯の照明光を通過させるため透明シートとなっている必要があるが、図６に示すような付与された意匠図柄３０１、３０２、３０３は透明ないしは不透明でよく、着色または無着色でよい。しかし、意匠図柄が不透明の場合は、図柄はレンズ全体の面積の一部にとどまるようにして、照明の機能を損なわないようにする必要がある。意匠図柄３０１、３０２、３０３の描画手段は特に限定されず、前記した各種の描画手段の他、その他の印刷や手書きした図柄であってもよい。
【００２６】
上記のような透明デザインシート３０を用いた場合には、このシートを取り替えることにより、デザインを変更できるため、雰囲気やその時の気分に合わせて気軽に車内をデザインすることができる。
【００２７】
以上、主に車室内前方の天井に取り付けられる室内灯を例として説明を行ったが、この例に限定されることなく、本発明の室内灯ハーフミラーレンズは車両用の室内灯すべてに応用できるものである。
【産業上の利用可能性】
【００２８】
本発明の室内灯ハーフミラーレンズは、新車から専用部品として取り付けもよいし、純正部品として取り付けられている通常の室内灯レンズと入れ替えて取り付けることもでき、使用者の要望に応えられるものである。
【符号の説明】
【００２９】
１０  室内灯ハーフミラーレンズ
１１  レンズ表面
１２  レンズ裏面
１３ａ、１３ｂ  レンズカット部
１４  掛止爪受
１５ａ、１５ｂ、１５ｃ  スイッチ挿入孔
１０１、１０２、１０３、１０４  意匠図柄
２０  室内灯ハウジング
２１ａ、２１ｂ  光源
２４  掛止爪
２５ａ、２５ｂ、２５ｃ  スイッチ
３０  透明デザインシート
３０１、３０２、３０３  意匠図柄
４０  サンバイザー
【図１】
2014125075.tif 000003
【図２】
2014125075.tif 000004
【図３】
2014125075.tif 000005
【図４】
2014125075.tif 000006
【図５】
2014125075.tif 000007
【図６】
2014125075.tif 000008